(57)【要約】【課題】接続端子の配列が異なる機種の遊技盤と遊技枠体とを接続して作動させることを可能とする遊技機中継装置の提供を目的とする。【解決手段】遊技機中継基板４０２とケース体４１６とよりなり、遊技機中継基板４０２が、遊技盤の制御手段の出力端子と接続される複数の端子を有する中継入力部４０６と遊技枠体の電気的遊技装置の入力端子と接続される複数の端子を有する中継出力部４１０とを一面側に備えると共に、中継入力部４０６の端子と中継出力部４１０の端子とを制御信号に対する端子の配列を入れ替えて電気的に接続する電気的接続手段４１２を備え、ケース体４１６には、中継入力部４０６と中継出力部４１０が露出可能な開口部４１７，３１９を設け、遊技機中継基板４０２の電気的接続手段４１２が開口部４１７，４１９から露出しないようにした。【選択図】図１０
2008272181.tif 000002
【特許請求の範囲】
【請求項１】
遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段が複数の端子の配列された出力端子を備えて前記複数の端子を電気的にＯＮ、ＯＦＦする組み合わせにより前記制御信号を構成し、
前記遊技枠体には前記制御信号を受信して作動する電気的遊技装置を備えると共に前記電気的遊技装置には前記制御手段の出力端子からの制御信号を入力する入力端子を備えた遊技機における、
前記遊技盤の制御手段と前記遊技枠体の電気的遊技装置とを電気的に接続するための遊技機中継装置であって、
前記遊技機中継装置は遊技機中継基板を備え、
前記遊技機中継基板は、前記遊技盤の制御手段の出力端子と接続される複数の端子を有する中継入力部と前記遊技枠体の電気的遊技装置の入力端子と接続される複数の端子を有する中継出力部とを前記中継基板の一面側に備えると共に、
前記中継入力部の端子と前記中継出力部の端子とを前記制御信号に対する端子の配列を入れ替えて電気的に接続する電気的接続手段を備え、
前記電気的接続手段は、前記遊技機中継基板の一面側と他面側に形成され、同一面側ではそれぞれの前記電気的接続手段が互いに交わらないように配置されると共に、前記一面側と他面側の前記電気的接続手段の少なくとも一つが立体的に交差するように配置されて前記中継入力部の端子と前記中継出力部の端子とで前記制御手段の制御信号に対する端子の配列が入れ替わるように接続していることを特徴とする遊技機中継装置。
【請求項２】
遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段への電源供給用に電圧値の異なる複数の端子の配列された電源用入力端子を備え、
前記遊技枠体には前記遊技盤の制御手段に複数の電圧値からなる電源を供給する電源手段を備えると共に前記電源手段からの複数の電圧値の電源を前記遊技盤の制御手段の電源用入力端子に出力するために電圧値の異なる複数の端子が配列された電源用出力端子を備えた遊技機における、
前記遊技盤の制御手段と前記遊技枠体とを電気的に接続するための遊技機中継装置であって、
前記遊技機中継装置は遊技機中継基板を備え、
前記遊技機中継基板は、前記遊技盤の制御手段の電源用入力端子と接続される複数の端子を有する中継出力部と前記遊技枠体の電源手段の電源用出力端子と接続される複数の端子を有する中継入力部とを前記遊技機中継基板の一面側に備えると共に、
前記中継入力部の端子と前記中継出力部の端子とを端子の配列を入れ替えて電気的に接続する電気的接続手段を備え、
前記電気的接続手段は、前記遊技機中継基板の一面側と他面側に形成され、同一面側ではそれぞれの前記電気的接続手段が互いに交わらないように配置されると共に、前記一面側と他面側の前記電気的接続手段の少なくとも一つが立体的に交差するように配置されて前記中継入力部の端子と前記中継出力部の端子とで端子の配列が入れ替わるように接続していることを特徴とする遊技機中継装置。
【請求項３】
前記遊技機中継基板は、前記中継入力部に入力された前記制御信号のＯＮ時における電圧値を前記中継出力部で異なる電圧値となるように変換する電圧変換手段を備えることを特徴とする請求項１に記載の遊技機中継装置。
【請求項４】
前記遊技機中継基板は前記中継入力部が前記遊技盤における制御手段の出力端子と接続可能に構成されると共に前記中継出力部が前記遊技枠体における電気的遊技装置の入力端子と接続可能に構成され、前記電気的接続手段が前記遊技盤における制御手段の出力端子の配列を前記遊技枠体の電気的遊技装置に対応した配列に変えることを特徴とする請求項１または３に記載の遊技機中継装置。
【請求項５】
前記遊技盤の制御手段の出力端子、前記遊技枠体の電気的遊技装置の入力端子、前記遊技機中継基板の中継入力部の端子および前記中継出力部の端子は、複数の端子を備えたコネクタ形状で構成されていることを特徴とする請求項１、３，４の何れか一項に記載の遊技機中継装置。
【請求項６】
前記遊技盤の制御手段の電源用入力端子、前記遊技枠体の電源手段の電源用出力端子、前記遊技機中継基板の中継入力部の端子および前記中継出力部の端子は、複数の端子を備えたコネクタ形状で構成されていることを特徴とする請求項２に記載の遊技機中継装置。
【請求項７】
前記遊技機中継基板は前記中継入力部が前記遊技枠体における電源手段の電源用出力端子と接続可能に構成されると共に前記中継出力部が前記遊技盤における制御手段の電源用入力端子と接続可能に構成され、前記電気的接続手段が前記遊技枠体の電源手段の電源用出力端子の配列を前記遊技盤における制御手段の電源用入力端子に対応した配列に変えることを特徴とする請求項２または６に記載の遊技機中継装置。
【請求項８】
前記遊技機中継装置は、前記遊技機中継基板と前記遊技機中継基板を収納するケース体よりなり、前記ケース体は、前記中継入力部と前記中継出力部が露出可能な開口部を有し、前記ケース体に収納された前記遊技機中継基板の前記電気的接続手段が前記開口部から露出しないようにされていることを特徴とする請求項１から７の何れか一項に記載の遊技機中継装置。
【請求項９】
前記遊技機中継基板は、前記ケース体の開口部内の領域では前記開口部とは反対側の面に前記電気接続手段が形成され、前記開口部以外の領域で前記開口部とは反対側の面から前記遊技機中継基板を貫通して前記開口部側の面に形成されていることを特徴とする請求項８に記載の遊技機。
【請求項１０】
前記中継入力部の端子と前記中継出力部の端子は同数からなり、
前記電気的接続手段は、前記中継入力部の端子の一つを前記中継出力部の端子の対応する位置とは異なる端子に配列を入れ替えて接続することを特徴とする請求項１から９の何れか一項に記載の遊技機中継装置。
【発明の詳細な説明】
【技術分野】
【０００１】
本発明は、遊技機における遊技枠体に対して遊技盤を入れ替え可能とする遊技機中継装置に関する。
【背景技術】
【０００２】
従来、パチンコ遊技機等の遊技機は、遊技を行うための遊技領域と遊技の制御を行う制御信号を出力可能な制御手段とを備えた遊技盤が遊技枠体に取り付けられ、遊技枠体に取り付けられている遊技球の払出装置や遊技球の発射装置あるいはそれらの制御手段等の電気的遊技装置と前記遊技盤の制御手段が電気的に接続されている。前記遊技盤の制御手段は複数の端子の配列された出力端子を備えて前記複数の端子を電気的にＯＮ、ＯＦＦする組み合わせにより制御信号を構成し、前記遊技盤の制御手段から出力した制御信号を前記遊技枠体の電気的遊技装置の入力端子に入力して遊技枠体における電気的遊技装置の制御を行っている。
【０００３】
また、遊技機の遊技枠体には電源手段を備え、遊技盤と電気的に接続されている。遊技枠体の電源手段は、外部電源（例えばＡＣ２４Ｖ）を入力して、遊技盤の制御基板や遊技枠体の電気的遊技装置に必要な電圧値（例えばＤＣ１２Ｖ、ＤＣ５Ｖ、ＤＣ３Ｖ等）の電源を生成している。
【０００４】
しかしながら、従来においては、接続端子の配列が異なる機種の遊技盤の制御手段と遊技枠体の電気的遊技装置および電源手段とを接続して作動させたいと思っても作動させることが困難であった。
【０００５】
なお、遊技機より出力される信号を中継して遊技店の制御基板や装置に供給する装置が提案されているが、この装置においても、入出力端子の配列が異なる機種の遊技盤と遊技枠体の電気的遊技装置とを接続して作動させることは困難であった。
【特許文献１】特開２００３−８８６６２号公報
【発明の開示】
【発明が解決しようとする課題】
【０００６】
本発明は、前記の点を解決するためになされたものであって、接続端子の配列が異なる機種の遊技盤と遊技枠体とを接続して作動させることを可能とする遊技機中継装置の提供を目的とする。
【課題を解決するための手段】
【０００７】
請求項１の発明は、遊技を行うための遊技領域を備えた遊技盤と、前記遊技盤を入れ替え可能な遊技枠体とを備え、前記遊技盤には遊技の制御を行う制御信号を出力可能な制御手段を備えると共に前記制御手段が複数の端子の配列された出力端子を備えて前記複数の端子を電気的にＯＮ、ＯＦＦする組み合わせにより前記制御信号を構成し、前記遊技枠体には前記制御信号を受信して作動する電気的遊技装置を備えると共に前記電気的遊技装置には前記制御手段の出力端子からの制御信号を入力する入力端子を備えた遊技機における、前記遊技盤の制御手段と前記遊技枠体の電気的遊技装置とを電気的に接続するための遊技機中継装置であって、前記遊技機中継装置は遊技機中継基板を備え、前記遊技機中継基板は、前記遊技盤の制御手段の出力端子と接続される複数の端子を有する中継入力部と前記遊技枠体の電気的遊技装置の入力端子と接続される複数の端子を有する中継出力部とを前記中継基板の一面側に備えると共に、前記中継入力部の端子と前記中継出力部の端子とを前記制御信号に対する端子の配列を入れ替えて電気的に接続する電気的接続手段を備え、前記電気的接続手段は、前記遊技機中継基板の一面側と他面側に形成され、同一面側ではそれぞれの前記電気的接続手段が互いに交わらないように配置されると共に、前記一面側と他面側の前記電気的接続手段の少なくとも一つが立体的に交差するように配置されて前記中継入力部の端子と前記中継出力部の端子とで前記制御手段の制御信号に対する端子の配列が入れ替わるように接続していることを特徴とする。
【０００８】
請求項２の発明は、遊技を行うための遊技領域を備えた遊技盤と、前記遊技盤を入れ替え可能な遊技枠体とを備え、前記遊技盤には遊技の制御を行う制御信号を出力可能な制御手段を備えると共に前記制御手段への電源供給用に電圧値の異なる複数の端子の配列された電源用入力端子を備え、前記遊技枠体には前記遊技盤の制御手段に複数の電圧値からなる電源を供給する電源手段を備えると共に前記電源手段からの複数の電圧値の電源を前記遊技盤の制御手段の電源用入力端子に出力するために電圧値の異なる複数の端子が配列された電源用出力端子を備えた遊技機における、前記遊技盤の制御手段と前記遊技枠体とを電気的に接続するための遊技機中継装置であって、前記遊技機中継装置は遊技機中継基板を備え、前記遊技機中継基板は、前記遊技盤の制御手段の電源用入力端子と接続される複数の端子を有する中継出力部と前記遊技枠体の電源手段の電源用出力端子と接続される複数の端子を有する中継入力部とを前記遊技機中継基板の一面側に備えると共に、前記中継入力部の端子と前記中継出力部の端子とを端子の配列を入れ替えて電気的に接続する電気的接続手段を備え、前記電気的接続手段は、前記遊技機中継基板の一面側と他面側に形成され、同一面側ではそれぞれの前記電気的接続手段が互いに交わらないように配置されると共に、前記一面側と他面側の前記電気的接続手段の少なくとも一つが立体的に交差するように配置されて前記中継入力部の端子と前記中継出力部の端子とで端子の配列が入れ替わるように接続していることを特徴とする。
【０００９】
請求項３の発明は、請求項１において、前記遊技機中継基板は、前記中継入力部に入力された前記制御信号のＯＮ時における電圧値を前記中継出力部で異なる電圧値となるように変換する電圧変換手段を備えることを特徴とする。
【００１０】
請求項４の発明は、請求項１または３において、前記遊技機中継基板は前記中継入力部が前記遊技盤における制御手段の出力端子と接続可能に構成されると共に前記中継出力部が前記遊技枠体における電気的遊技装置の入力端子と接続可能に構成され、前記電気的接続手段が前記遊技盤における制御手段の出力端子の配列を前記遊技枠体の電気的遊技装置に対応した配列に変えることを特徴とする。
【００１１】
請求項５の発明は、請求項１、３、４の何れか一項において、前記遊技盤の制御手段の出力端子、前記遊技枠体の電気的遊技装置の入力端子、前記遊技機中継基板の中継入力部の端子および前記中継出力部の端子は、複数の端子を備えたコネクタ形状で構成されていることを特徴とする。
【００１２】
請求項６の発明は、請求項２において、前記遊技盤の制御手段の電源用入力端子、前記遊技枠体の電源手段の電源用出力端子、前記遊技機中継基板の中継入力部の端子および前記中継出力部の端子は、複数の端子を備えたコネクタ形状で構成されていることを特徴とする。
【００１３】
請求項７の発明は、請求項２または６において、前記遊技機中継基板は前記中継入力部が前記遊技枠体における電源手段の電源用出力端子と接続可能に構成されると共に前記中継出力部が前記遊技盤における制御手段の電源用入力端子と接続可能に構成され、前記電気的接続手段が前記遊技枠体の電源手段の電源用出力端子の配列を前記遊技盤における制御手段の電源用入力端子に対応した配列に変えることを特徴とする。
【００１４】
請求項８の発明は、請求項１から７の何れか一項において、前記遊技機中継装置は、前記遊技機中継基板と前記遊技機中継基板を収納するケース体よりなり、前記ケース体は、前記中継入力部と前記中継出力部が露出可能な開口部を有し、前記ケース体に収納された前記遊技機中継基板の前記電気的接続手段が前記開口部から露出しないようにされていることを特徴とする。
【００１５】
請求項９の発明は、請求項８において、前記遊技機中継基板は、前記ケース体の開口部内の領域では前記開口部とは反対側の面に前記電気接続手段が形成され、前記開口部以外の領域で前記開口部とは反対側の面から前記遊技機中継基板を貫通して前記開口部側の面に形成されていることを特徴とする。
【００１６】
請求項１０の発明は、請求項１から９の何れか一項において、前記中継入力部の端子と前記中継出力部の端子は同数からなり、前記電気的接続手段は、前記中継入力部の端子の一つを前記中継出力部の端子の対応する位置とは異なる端子に配列を入れ替えて接続することを特徴とする。
【発明の効果】
【００１７】
請求項１の発明によれば、遊技機中継基板の電気的接続手段が、遊技機中継基板の一面側と他面側に形成され、同一面側ではそれぞれの電気的接続手段が互いに交わらないように配置されると共に、一面側と他面側の前記電気的接続手段の少なくとも一つが立体的に交差するように配置されて中継入力部の端子と中継出力部の端子とで制御信号に対する端子の配列を入れ替えて電気的に接続しているため、入出力端子の配列が異なる遊技盤と遊技枠体の電気的遊技装置であっても接続して作動させることが可能となる。
【００１８】
請求項２の発明によれば、遊技機中継基板が、中継入力部の端子と前記中継出力部の端子とを端子の配列を入れ替えて電気的に接続する電気的接続手段を備えると共に、遊技機中継基板の電気的接続手段が、遊技機中継基板の一面側と他面側に形成され、同一面側ではそれぞれの電気的接続手段が互いに交わらないように配置されると共に、一面側と他面側の前記電気的接続手段の少なくとも一つが立体的に交差するように配置されて中継入力部の端子と中継出力部の端子とを端子の配列を入れ替えて電気的に接続しているため、電源に関する入出力端子の配列が異なる遊技盤と遊技枠体の電源手段とであっても接続して作動させることが可能となる。
【００１９】
請求項３の発明によれば、遊技機中継基板が、中継入力部に入力された制御信号のＯＮ時における電圧値を中継出力部で異なる電圧値となるように変換する電圧変換手段を備えるため、制御信号の電圧値が異なる機種間の遊技盤と遊技枠体の電気的遊技装置であっても、接続して作動させることが可能となる。
【００２０】
請求項４の発明によれば、遊技機中継基板の電気的接続手段が、遊技盤における制御手段の出力端子の配列を遊技枠体の電気的遊技装置に対応した配列に変えるため、対応していない遊技盤と遊技枠体の電気的遊技装置であっても遊技機中継基板を中継して接続することにより作動させることが可能となる。
【００２１】
請求項５の発明によれば、遊技盤の制御手段の出力端子、遊技枠体の電気的遊技装置の入力端子、遊技機中継基板の中継入力部の端子および中継出力部の端子が、複数の端子を備えたコネクタ形状で構成されているため、遊技機中継基板と遊技盤および遊技枠体の電気的遊技装置との電気的接続を容易に行うことが可能となる。
【００２２】
請求項６の発明によれば、遊技盤の制御手段の電源用入力端子、前記遊技枠体の電源手段の電源用出力端子、前記遊技機中継基板の中継入力部の端子および前記中継出力部の端子は、複数の端子を備えたコネクタ形状で構成されているため、遊技機中継基板と遊技盤および遊技枠体の電源手段との電気的接続を容易に行うことが可能となる。
【００２３】
請求項７の発明によれば、遊技機中継基板の電気的接続手段が遊技枠体の電源手段の電源用出力端子の配列を遊技盤における制御手段の電源用入力端子に対応した配列に変えるため、対応していない遊技盤と遊技枠体の電源手段であっても遊技機中継基板を中継して接続することにより作動させることが可能となる。
【００２４】
請求項８の発明によれば、遊技機中継装置が、遊技機中継基板と遊技機中継基板を収納するケース体よりなり、前記ケース体は、遊技機中継基板の中継入力部と中継出力部が露出可能な開口部を有し、前記ケース体に収納された前記遊技機中継基板の電気的接続手段が前記開口部から露出しないようにされているため、ケース体の開口部を利用して遊技機中継基板の電気的接続手段に対して不正が働かれるのを防ぐことが可能である。
【００２５】
請求項９の発明によれば、遊技機中継基板はケース体の開口部内の領域では開口部とは反対側の面に電気接続手段が形成され、開口部以外の領域で開口部とは反対側の面から遊技機中継基板を貫通して開口部側の面に形成されているため、遊技機中継基板の電気的接続手段がケース体の開口部から露出しないようにすることができ、ケース体の開口部を利用する遊技機中継基板の電気的接続手段に対する不正を防ぐことが可能である。
【００２６】
請求項１０の発明によれば、遊技機中継基板の電気的接続手段が、中継入力部の端子の一つを中継出力部の端子の対応する位置とは異なる端子に配列を入れ替えて接続する構成を有するため、接続端子の配列が異なる遊技盤と遊技枠体であっても接続して作動させることが可能となる。
【発明を実施するための最良の形態】
【００２７】
以下添付の図面に基づき本発明の好適な実施形態を説明する。図１は遊技盤の一実施例を示す正面図、図２は遊技枠体の一実施例を示す正面図、図３は一実施例の遊技機の分解斜視図、図４は遊技機中継枠体によって遊技枠体と遊技盤を接続した遊技機の正面図、図５は同遊技機の背面図、図６は同実施例における主制御基板の概略の構成を示すブロック図、図７は同実施例におけるサブ制御基板の概略の構成を示すブロック図、図８は同実施例における払出制御基板の概略を示すブロック図、図９は同遊技機における遊技機中継装置による電気的遊技装置と制御手段の接続状態を示すブロック図、図１０は制御信号用遊技機中継装置の一実施例を示す表面図と裏面図、図１１は図１０の実施例における遊技機中継基板の表面図と裏面図、図１２は制御信号のＯＮ，ＯＦＦを示す図、図１３は電源用遊技機中継装置の一実施例を示す表面図と裏面図、図１４は図１３の実施例における遊技機中継基板の表面図と裏面図である。
【００２８】
本発明は、例えば機種が異なる遊技機の遊技盤と遊技枠体など、本来接続を予定して製造されてなく、接続される入出力端子の配列等が異なる遊技盤と遊技枠体を接続して使用可能とする遊技機中継装置に関する。以下、図１に示す遊技盤３と図２に示す遊技枠体１Ａとを、本発明の遊技機中継装置で接続して、図４および図５に示すパチンコ遊技機からなる遊技機１を構成して作動させる例について説明する。
【００２９】
図１に示す遊技盤３は略中央に開口窓部３ａが形成され、その開口窓部３ａを裏側から塞ぐように特別図柄表示装置８が取り付けられている。
【００３０】
前記遊技盤３の前面には、縁に遊技球誘導用の外側ガイドレール４及び内側ガイドレール５からなる遊技球誘導レール４Ａが略円形に立設され、前記遊技球誘導レール４Ａによって囲まれた遊技領域６の中心線上にその上部から下部に向かって順に特別図柄表示装置８、上側始動入賞口９、下側始動入賞口１０、特別電動役物である大入賞口１５、アウト口１７が配設されている。前記特別図柄表示装置８の左方下部には普通図柄表示装置４５が設けられ、その下方における遊技領域６の左右には、左袖入賞口２３と右袖入賞口２５、その下方には左落とし入賞口２７と右落とし入賞口２９がそれぞれ設けられている。また、前記下側始動入賞口１０の左側に普通図柄変動開始用ゲート１９が設けられている。以下遊技盤３における主要構成部について詳述する。
【００３１】
前記特別図柄表示装置８は文字又は図柄の少なくとも何れかを表示可能なものであって、液晶，ドットマトリックス若しくはＬＥＤ画像表示装置等の画像表示装置からなり、前面が遊技の演出用画像（図柄や文字など）を表示するための表示領域（表示画面）を構成している。前記特別図柄表示装置８は、前記遊技盤３の中央に形成されている開口部分に取り付けられている。
【００３２】
前記特別図柄表示装置８は、遊技の当たり外れを判定する当否判定手段による判定結果を表示可能とされている。本実施例の特別図柄表示装置８には左側に左特別図柄Ｔ１、中央に中特別図柄Ｔ２、右側に右特別図柄Ｔ３が、それぞれ変動表示及び停止表示可能とされている。また、前記特別図柄表示装置８には、前記特別図柄に加えて背景画像（キャラクタ，背景，文字等を含む。）が表示されることもあり、該背景画像が特別図柄の変動開始等の所定条件に起因して変動表示可能となっていてもよい。なお、この実施例における前記左特別図柄Ｔ１、中特別図柄Ｔ２、右特別図柄Ｔ３は、それぞれ『１，２，３，４，５，６，７，８』の８通りの図柄とされている。
【００３３】
前記普通図柄表示装置４５は液晶，ドットマトリックス若しくはＬＥＤ画像表示装置等の画像表示装置からなり、記号或いは絵（キャラクタ）等の小当たり判定用普通図柄を変動表示及び停止表示する。本実施例における普通図柄表示装置４５に変動及び停止表示される普通図柄は、『０，１，２，３，４，５，６，７，８，９』の１０通りの図柄とされている。
【００３４】
前記上側始動入賞口９は、上方が遊技球入球口として開口している。また、前記下側始動入賞口１０は上側始動入賞口９の真下に設けられ、２つの可動片１０ａ，１０ｂが背面の始動入賞口用ソレノイドによって略垂直で入賞（入球）し難い狭小開放状態と略Ｖ字形（逆ハの字形）の入賞し易い拡開開放状態間を変化可能に制御されている。前記下側始動入賞口１０の拡開開放は、前記普通図柄表示装置４５で普通図柄が変動した後特定の普通図柄で確定停止表示されて小当たり（普通図柄当たり）が成立した時に行われる。
【００３５】
また、前記上側始動入賞口９および下側始動入賞口１０の裏側（背面）には、前記上側始動入賞口９および下側始動入賞口１０に入賞（入球）した遊技球を検出する始動入賞口検出スイッチ（始動入賞口センサ）が入賞球用通路に設けられており、本実施例では、前記始動入賞口検出スイッチによる入賞球の検出が、大当たりの当否（遊技の当否）判定に対する起因及び前記特別図柄の変動表示開始に対する起因に設定されている。
【００３６】
前記普通図柄変動開始用ゲート１９は、前記普通図柄変動開始用ゲート１９の背面に設けられた普通図柄変動開始スイッチで普通図柄変動開始用ゲート１９を通過する遊技球を検出することによって前記普通図柄表示装置４５で普通図柄の変動を開始させるようになっている。さらにまた、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００３７】
前記大入賞口１５は、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該大入賞口１５が開いた際に開口して入賞可能にする特定領域入賞口５２を有する。さらに、該特定領域入賞口５２には、所定条件時に特定領域開放用ソレノイドにより開閉される開閉扉が設けられている。また、前記特定領域入賞口５２には特定入賞球を検出する特定入賞球検出スイッチ（特定領域センサ）が設けられ、該入賞球の検出により大入賞口１５を再度開ける継続権利が成立し、本実施例では最高１０ラウンド繰り返し可能にされている。また、前記大入賞口１５内の略中央には、大入賞口１５に入賞し、かつ前記特定領域入賞口５２に入賞しなかった入賞球を検出する入賞球数カウントスイッチ（カウントセンサ）が設けられている。
【００３８】
図２に示す遊技枠体１Ａは、遊技機１において遊技盤３の除く部分で構成され、本実施例では図３にも示すように、外枠Ｆ１、機構板Ｆ２、前面枠体Ｆ３およびガラス枠Ｇよりなる。前記外枠Ｆ１は木枠とも称され、外枠Ｆ１内に前記機構板Ｆ２が収納配置され、前記機構板Ｆ２の前面側に前面枠体Ｆ３が配置され、さらに前面枠体Ｆ３の前面にガラス枠Ｇが配置される。前記機構板Ｆ２、前面枠体Ｆ３およびガラス枠Ｇは、前記外枠Ｆ１にヒンジで取り付けられ、開閉可能とされる。なお、前記前面枠体Ｆ３は略中央部に開口窓部２１が形成され、前記開口窓部２１を塞ぐようにして前記遊技盤３が入れ替え（着脱）可能に前面枠体Ｆ３に取り付けられ、前記ガラス枠Ｇを介して前記遊技盤３の遊技領域６が遊技者から視認可能とされる。また、本実施例では前面枠体Ｆ３の下部前面に前面下部カバーＦ４が取り付けられている。
【００３９】
前記ガラス枠Ｇの前面側には、図２に示すように、上部の左右に効果音等を発するスピーカ３８ａ，３８ｂ（音声発生装置）と左サイドランプ３５ａ、右サイドランプ３５ｂからなるランプ装置が設けられている。また、前面下部カバーＦ４の前面側には、払い出された遊技球を受けるための上側球受け皿３６、該上側球受け皿３６の飽和時に遊技球を受けるための下側球受け皿３７、遊技者の発射操作に応じて遊技球を遊技領域６に向けて弾発発射する発射装置５３等がそれぞれ組み付けられている。符号５４は発射装置５３の操作レバーである。前記操作レバー５４にはタッチスイッチが設けられ、遊技者が操作レバー５４を握ることにより発射装置の発射モータが駆動し、遊技球を弾発発射するようになっている。
【００４０】
前記遊技盤３と前記遊技枠体１Ａが後述の遊技機中継枠体で接続されて構成された図４の遊技機１では、前記発射装置５３により発射された遊技球が、前記遊技盤３に立設された遊技球誘導レール４Ａを介して遊技領域６に誘導される。遊技領域６に誘導された遊技球は転動しつつ下方へ落下し、前記各装置及び各入賞口に入賞するか、或いは何処にも入賞しなければ前記アウト口１７から遊技盤３の裏側へ排出される。
【００４１】
前記発射装置５３により発射された遊技球が、前記種々の入賞口に入賞すると入賞口に応じた所定数の遊技球が賞球として上側球受け皿３６に払い出される。また、前記普通図柄変動開始用ゲート１９を遊技球が通過すると、小当たり判定・普通図柄決定用乱数値が取得され、その取得乱数値に基づいて普通図柄の当たり（小当たり）判定が行われ、前記普通図柄表示装置４５で普通図柄が変動を開始し、所定時間変動後に停止する。その際、前記普通図柄の当たり判定結果が小当たりの場合には、小当たり普通図柄、この例では奇数で停止し、前記下側始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記下側始動入賞口１０に遊技球が入賞すると、所定数の遊技球が賞球として払い出される。
【００４２】
また、前記上側始動入賞口９および下側始動入賞口１０に遊技球が入賞すると、大当たり当否判定用乱数値及び大当たり確定特別図柄の組合せ決定用大当たり図柄乱数値が取得され、前記取得された大当たり当否判定用乱数値に基づいて大当たりの当否判定が行われ、前記特別図柄表示装置８で特別図柄が変動を開始し、所定時間変動後に停止する。
【００４３】
前記大当たりの当否判定結果が大当たりの場合には、前記特別図柄表示装置８に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口５２への入賞球が検出されると、前記大当たりを再度繰り返す継続権利が発生し、所定最高回数（例えば最高１０回）、前記開閉板１６の開放を繰り返すようになっている。
【００４４】
前記遊技盤３の裏側には、遊技の制御を行う制御信号を出力可能な制御手段が設けられている。前遊技盤３の裏側に設けられている制御手段は、前記遊技盤３が外枠Ｆ１内に収納された際に前記機構板Ｆ２に形成されている開口部に嵌って機構板Ｆ２の後方へ突出する。なお、前記機構板Ｆ２の裏面には複数の制御手段を覆うカバー体２００Ａが取り付けられる。
【００４５】
前記遊技盤３に設けられる制御手段として、本実施例では、図５に示すように、主制御基板２００、サブ制御基板２０５および演出制御基板２１０、音声制御基板２２０が設けられている。各制御基板および後述の基板には制御回路が設けられている。各制御基板等はそれぞれ、あるいは複数まとめてケース体に収容されている。
【００４６】
前記主制御基板２００は、図６に示すように、ＣＰＵ，ＲＡＭ，ＲＯＭ，複数のカウンタを備えたワンチップマイクロコンピュータを備え、遊技に関わる主制御を行う。前記ＣＰＵは、制御部，演算部，各種カウンタ，各種レジスタ，各種フラグ等を備え、演算制御を行う他、大当たりや小当たり（下側始動入賞口１０の拡開開放を行う普通図柄当たり）に関する乱数等も生成し、また前記各基板に制御信号（コマンド）を出力（送信）可能に構成されている。前記ＲＡＭは、始動入賞口検出スイッチで検出された前記特別図柄用保留球数及び普通図柄変動開始スイッチで検出された普通図柄用保留球数の記憶領域、ＣＰＵで生成される各種乱数値用の記憶領域、各種データを一時的に記憶する記憶領域やフラグ、ＣＰＵの作業領域を備える。また、前記ＲＯＭには、遊技上の制御プログラムや制御データが書き込まれている他、大当たり及び小当たりの判定値、前記特別図柄表示装置８における画像の変動表示態様として複数の変動パターン等が書き込まれている。なお、前記主制御基板２００は、遊技の当否を判定する当否判定手段としても機能する。
【００４７】
前記主制御基板２００は、後述の機構板Ｆ２に設けられた電源基板２５０から供給される電源により作動する。前記主制御基板２００には、電源基板２５０との接続のための電源用入力端子３０１、機構板Ｆ２に設けられる払出制御基板２４０と接続されて制御信号出力を出力する制御用出力端子３１１等が設けられている。前記電源用入力端子３０１および制御用出力端子３１１は、複数の端子が配列されたものであって、コネクタ状からなる。また、前記制御用出力端子３１１から出力される制御信号は、前記制御用出力端子３１１における個々の端子と対応する複数の制御信号からなり、各制御信号は、図１２に示すパルス信号のＯＮまたはＯＦＦ（電気的なＯＮ，ＯＦＦ）の信号からなり、ＯＮ，ＯＦＦの組み合わせによって制御信号が構成されている。また、前記制御用出力端子３１１における端子の数は、制御信号に応じた数とされている。
【００４８】
前記サブ制御基板２０５は、図７に示すように、ＣＰＵ，ＲＡＭ，ＲＯＭ，複数のカウンタを備えたワンチップマイクロコンピュータを備える。前記サブ制御基板２０５は、本実施例ではランプ制御基板を兼ね、前記主制御基板２００からの制御信号に基づいて前記ランプ装置の発光制御や特別図柄表示装置８の演出、スピーカ３８ａ，３８ｂの音声制御等を行う。前記サブ制御基板２０５には、電源基板２５０との接続のための電源用入力端子３３１、機構板Ｆ２に設けられる電飾中継基板（図示せず）等との接続のための制御用出力端子３４１等が設けられている。前記電源用入力端子３３１および制御用出力端子３４１は、複数の端子が配列されたものであって、コネクタ状からなる。また、前記制御用出力端子３４１から出力される制御信号は、前記制御用出力端子３４１における個々の端子と対応する複数の制御信号からなり、各制御信号はパルス信号のＯＮまたはＯＦＦ（電気的なＯＮ，ＯＦＦ）の信号からなり、ＯＮ，ＯＦＦの組み合わせによって制御信号が構成されている。前記出力端子３４１における端子の数は、制御信号に応じた数とされている。
【００４９】
前記演出制御基板２１０は、前記サブ制御基板２０５からの制御信号に基づき前記特別図柄表示装置８の制御を行う。前記演出制御基板２１０は、前記サブ制御基板２０５からの制御信号に基づきＣＰＵが制御データＲＯＭから所定の表示制御データを読み出し、制御データＲＡＭの記憶領域で制御用データを生成してＶＤＰに出力する。ＶＤＰは、ＣＰＵからの指令に基づいて画像データＲＯＭから必要なデータを読み出し、表示画像における特別図柄、演出図柄、背景画像、キャラクタ画像、文字画像等のマップデータを作成し、ＶＲＡＭに格納する。ＶＲＡＭに格納記憶された画像データは、出力回路に備えるＤ／Ａ変換回路にてＲＧＢ信号に変換されて特別図柄表示装置８に出力される。
【００５０】
前記音声制御基板２２０は、前記演出制御基板２１０と接続され、スピーカ３８ａ，３８ｂの音声を、特別図柄表示装置８の演出と合わせて制御する。
【００５１】
一方、遊技枠体１Ａにおける機構板Ｆ２の裏側には外部端子２６５、遊技球払出装置（賞球払出装置と貸球払出装置）２８１、遊技店からの遊技球を貯める球貯留タンク２８９、球貯留タンク２８９から払出装置２８１へ供給する球誘導樋２９１等の装置や、払出制御基板２４０、電源基板２５０、発射制御基板２６０、電飾中継基板（図示せず）等が設けられている。本実施例では、払出制御基板２４０および前記ガラス枠Ｇに設けられているスピーカ３８ａ，３８ｂ（音声発生装置）や左サイドランプ３５ａ、右サイドランプ３５ｂからなるランプ装置、電飾中継基板（図示せず）等が本発明の電気的遊技装置に相当する。前記払出制御基板２４０は前記主制御基板２００と接続され、一方、前記電飾中継基板等は前記サブ制御基板２０５と接続され、前記主制御基板２００あるいは前記サブ制御基板２０５からの制御信号によって制御される。
【００５２】
前記払出制御基板２４０は、前記主制御基板２００から出力される制御信号を受信して前記払出装置（賞球及び貸球払出装置）２８１や発射制御基板２６０を制御する。前記払出制御基板２４０には、図８に示すように、前記主制御基板２００との接続のための制御用入力端子３６１等が設けられている。前記制御用入力端子３６１は、複数の端子が配列されたものであって、コネクタ状からなる。また、前記制御用入力端子３６１には、前記主制御基板２００から前記制御信号が入力される。前記入力端子３６１における端子の数は、制御信号に応じた数とされている。
【００５３】
前記電源基板２５０は、外部電源（ＡＣ２４Ｖ）から遊技に必要な電圧（ＤＣ１２Ｖ、ＤＣ５Ｖ、ＤＣ３Ｖ等）を生成し、前記遊技盤３の制御手段（主制御基板２００やサブ制御基板２０５等）や前記遊技枠体の電気的遊技装置（払出制御基板２４０等）に供給する。
【００５４】
ところで、前記遊技盤３と遊技枠体１Ａは機種毎に合わせて開発され、コネクタ状の入力端子や出力端子の配列、制御信号に関する端子の配列、電源の接続端子等も機種毎に決められている。例えば、遊技枠体の電源基板からサブ制御基板２０５に電源供給している電源用出力端子の配列は、６ピンの端子の配列で構成されており、１．ＧＮＤ、２．ＤＣ１２Ｖ、３．ＤＣ５Ｖ、４．ＤＣ３４Ｖ、５．リセット信号、６．ＧＮＤで構成されている。そのため、本来、この遊技枠体に搭載する予定の遊技盤ではサブ制御基板において電源基板と接続されるコネクタのピン配列は、１．ＧＮＤ、２．ＤＣ１２Ｖ、３．ＤＣ５Ｖ、４．ＤＣ３４Ｖ、５．リセット信号、６．ＧＮＤに割り付けられている。しかし、本来接続（搭載）されることが想定されてなく（例えば遊技盤と遊技枠体が異なる機種（異なる製造メーカーの場合を含む）の場合等）、端子の配列が異なる遊技枠体１Ａと遊技盤３を接続して作動させるには、接続される端子の配列や、制御信号の電圧値等が異なるため、遊技盤の端子と遊技枠体の端子をハーネス等で直接接続して作動させることができず、従来では遊技盤に合わせて遊技枠体を用意する必要があった。
【００５５】
本発明では、機種が異なる等により接続端子の配列や制御信号の電圧値等が異なる場合における遊技盤３と遊技枠体１Ａとの電気的接続を遊技機中継装置で行うようにして作動を可能とした。すなわち、図９に示すように、制御信号に関しては、前記遊技盤３の主制御基板（制御手段）２００と前記遊技枠体１Ａの払出制御基板（電気的遊技装置）２４０を遊技機中継装置４０１で接続し、また、前記遊技盤３のサブ制御基板（制御手段）２０５と前記遊技枠体１Ａの電飾中継基板等（電気的遊技装置）を遊技機中継装置４２１で接続し、一方、電源に関しては、前記遊技盤３の主制御基板（制御手段）２００と前記遊技枠体１Ａの電源基板（電源手段）２５０を遊技機中継装置４４１で接続し、また、前記遊技盤３のサブ制御基板（制御手段）２０５と前記遊技枠体１Ａの電源基板（電源手段）２５０を遊技機中継装置４６１で接続して作動を可能とした。なお、前記遊技盤３および前記遊技枠体１Ａと前記遊技機中継装置４０１，４２１，４４１，４６１との接続は、両端にコネクタを有するハーネスにより行う。
【００５６】
前記制御信号に関する遊技機中継装置４０１，４２１は、図１０および図１１に示すように、遊技機中継基板４０２，４２２と遊技機中継基板４０２，４２２を収納するケース体４１６，４３６とよりなる。
【００５７】
前記遊技機中継基板４０２，４２２は、前記遊技盤３の制御手段（主制御基板２００、サブ制御基板２０５）と前記遊技枠体１Ａの電気的遊技装置（払出制御基板２４０、電飾中継基板等）を電気的に接続する。前記遊技機中継基板４０２，４２２は、前記遊技盤３における制御手段の制御信号用出力端子（前記主制御基板２００の制御信号用出力端子３１１、サブ制御基板２０５の制御信号用出力端子３４１）と接続される複数の端子（ピン）を有するコネクタ状の中継入力部４０６，４２６と前記遊技枠体Ｆ１における電気的遊技装置の制御信号用入力端子（払出制御基板２４０の制御信号用入力端子３６１、電飾中継基板等の制御信号用入力端子（図示せず））と接続される複数の端子（ピン）を有するコネクタ状の中継出力部４１０，４３０とを、前記遊技機中継基板４０２，４２２の一面（本実施例では表面）側に離して備え、前記中継入力部４０６，４２６の複数の端子と前記中継出力部４１０，４３０の複数の端子を電気的に接続する電気的配線（本発明における電気的接続手段）４１２，４３２が、前記遊技機中継基板４０２，４２２の一面側（表面側）と他面側（裏面側）に形成され、同一面側ではそれぞれの電気的配線（電気的接続手段）４１２，４３２が互いに交わらないように、例えば略平行等に配置されると共に、前記一面側（表面側）と他面側（裏面側）の電気的配線（電気的接続手段）４１２，４３２の少なくとも一つ４１３，４３３については立体的に交差するように配置されて、中継入力部４０６，４２６の端子と中継出力部４１０，４３０の端子とで前記遊技盤３の制御手段（主制御基板２００等）の制御信号に関する端子の配列が入れ替わるように接続されている。前記電気的配線４１２，４３２はプリント配線からなる。
【００５８】
本実施例では、前記中継入力部４０６，４２６における複数の端子と前記中継出力部４１０，４３０における複数の端子は、端子数（ピン数）が同数とされると共に同一の配列（同一の順序）で設けられ、前記電気的配線４１２，４３２により、前記中継入力部４０６，４２６の端子が前記中継出力部４１０，４３０の端子における対応する位置とは異なる位置の端子に配列を替えて接続されている。具体的には、前記電気的配線４１２，４３２により、前記中継入力部４０６，４２６の１番端子（１番ピン）が前記中継出力部４１０，４３０の２番端子（２番ピン）と接続され、前記中継入力部４０６，４２６の２番端子（２番ピン）が前記中継出力部４１０，４３０の３番端子（３番ピン）と接続され、前記中継入力部４０６，４２６の３番端子（３番ピン）が前記中継出力部４１０，４３０の４番端子（４番ピン）と接続され、前記中継入力部４０６，４２６の４番端子（４番ピン）が前記中継出力部４１０，４３０の５番端子（５番ピン）と接続され、前記中継入力部４０６，４２６の５番端子（５番ピン）が前記中継出力部４１０，４３０の１番端子（１番ピン）と接続され、このようにして端子の配列が入れ替えられている。
【００５９】
また、本実施例では、前記中継入力部４０６，４２６の一つの端子（５番端子）を前記中継出力部４１０，４３０における対応する位置とは異なる位置の端子（１番端子）に接続することにより、前記中継出力部４１０，４３０における他の端子の配列も入れ替えている。すなわち、前記中継入力部４０６，４２６の５番端子を前記中継出力部４１０，４３０の１番端子に接続することにより、前記中継入力部４０６，４２６の１番から４番の端子に接続される前記中継出力部４１０，４３０の他の端子についても、順に２番から５番の端子に配置を入れ替えている。
【００６０】
前記一面側（表面側）と他面側（裏面側）の電気的配線（電気的接続手段）４１２，４３２の少なくとも一つ４１３，４３３が交わることなく立体的に交差する方法として、本実施例では、前記ケース体４１６，４３６の開口部４１７，４１９，４３７，４３９以外の領域に貫通孔４１４，４１５，４３４，４３５を形成し、前記一つの電気的配線（電気的接続手段）４１３，４３３を前記他面側（裏面側）から一方の貫通孔４１４，４３４に通して前記一面側（表面側）に配線し、他方の貫通孔４１５，４３５に通して前記他面側（裏面側）へ戻すことにより行っている。なお、前記貫通孔４１４，４１５，４３４，４３５では、両側の電気的配線（電気的接続手段）をはんだ等で接続する。
【００６１】
前記電気的配線４１２，４３２の途中には、電圧変換手段５０１，５１１が設けられている。前記電圧変換手段５０１，５１１は、前記遊技盤３における制御手段（主制御基板２００、サブ制御基板２０５）の制御信号におけるＯＮ時の電圧値が、前記遊技枠体１Ａの電気的遊技装置（払出制御基板２４０、電飾中継基板等）における制御信号のＯＮ時の電圧値と異なる場合に、前記中継入力部４０６，４２６に入力された前記制御信号のＯＮ時における電圧値を前記中継出力部４１０，４３０で異ならせ、前記遊技枠体１Ａの電気的遊技装置における制御信号のＯＮ時の電圧値と等しくなるようにする装置である。本実施例では電圧変換手段５０１，５１１は、電圧変換ＩＣで構成されている。なお、前記電圧変換手段５０１，５１１は、前記遊技盤３における制御手段（主制御基板２００等）の制御信号におけるＯＮ時の電圧値と前記遊技枠体１Ａの電気的遊技装置における制御信号のＯＮ時の電圧値が等しい場合には、設ける必要がない。
【００６２】
前記ケース体４１６，４３６は、透明で内部の遊技機中継基板４０２，４２２が透視可能な箱状からなり、前記中継入力部４０６，４２６と中継出力部４１０，４３０が露出する開口部４１７，４１９，４３７，４３９が形成され、前記開口部４１７，４１９，４３７，４３９から露出している中継入力部４０６，４２６と中継出力部４１０，４３０がハーネス等のコネクタと接続可能とされている。前記開口部４１７，４１９，４３７，４３９は、前記遊技機中継基板４０２，４２２の中継入力部４０６，４２６と中継出力部４１０，４３０が位置する側に存在し、前記開口部４１７，４１９，４３７，４３９の部分では、前記電気的配線（本発明における電気的接続手段）４１２，４３２が、前記遊技機中継基板４０２に隠蔽されて前記開口部４１７，４１９，４３７，４３９から露出することがないようにされている。
【００６３】
このように、前記遊技機中継基板４０２，４２２では、前記ケース体４１６，４３６の開口部４１７，４１９，４３７，４３９の部分で、電気的配線（電気的接続手段）４１２，４３２を全て開口部４１７，４１９とは反対の遊技機中継基板４０２，４２２の裏面側に設け、前記開口部４１７，４１９，４３７，４３９以外の部分で交差させる必要のある電気的配線（電気的接続手段）４１３，４３３を、遊技機中継基板４０２，４２２の裏面側から一方の貫通孔４１４，４３４に通して遊技機中継基板４０２，４２２の表面側に配置させて、遊技中継基板４０２，４２２の裏面側に存在する他の電気的配線（電気的接続手段）と立体的に交差させ、他方の貫通孔４１５，４３５から遊技機中継基板４０２，４２２の裏面側へ戻すことで、前記遊技機中継基板４０２，４２２の中継入力部４０６，４２６と中継出力部４１０，４３０とで、制御信号に関する端子の配列や電圧値の配列等を入れ替えることを可能にしている。
【００６４】
なお、前記遊技機中継装置４０１，４２１は、前記遊技枠体１Ａに収納配置されるのが好ましいが、一時的に前記遊技枠体１Ａと前記遊技盤３を接続する場合などには前記遊技機中継装置４０１，４２１を前記遊技枠体１Ａ外に配置してもよい。
【００６５】
図１３および図１４には前記電源に関する遊技機中継装置４４１，４６１を示す。前記電源に関する遊技機中継装置４４１，４６１は、前記制御信号に関する遊技機中継装置４０１，４２１における電圧変換手段５０１，５１１を備えていないことを除き、他は前記制御信号に関する遊技機中継装置４０１，４２１と同様の構成からなる。符号４４２，４６２は遊技機中継基板、４４６，４６６は中継入力部、４５０，４７０は中継出力部、４５２，４５３，４７２，４７３は電気的配線（電気的接続手段）、４５４，４５５，４７４，４７５は貫通孔、４５６，４７６はケース体、４５７，４５９，４７７，４７９はケース体の開口部である。前記遊技機中継基板４４２，４６２の中継入力部４４６，４６６と中継出力部４５０，４７０は前記遊技機中継基板４４２，４６２の一面側（表面側）に設けられている。なお、前記中継入力部４４６，４６６は前記遊技枠体１Ａの電源手段（電源基板２５０）の電源用出力端子とハーネス等で接続され、一方、前記中継出力部４５０，４７０は、前記遊技盤３の制御手段（主制御基板２００またはサブ制御基盤２０５）の電源用入力端子とハーネス等で接続される。
【００６６】
以上、本実施例の遊技機中継装置についてまとめると、以下のとおりである。本実施例の遊技機中継装置は、接続端子の配列が異なる遊技盤と遊技枠体とを接続可能にして作動させるためのものであり次の構成からなる。
【００６７】
（１）遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段が複数の端子の配列された出力端子を備えて前記複数の端子を電気的にＯＮ、ＯＦＦする組み合わせにより前記制御信号を構成し、
前記遊技枠体には前記制御信号を受信して作動する電気的遊技装置を備えると共に前記電気的遊技装置には前記制御手段の出力端子からの制御信号を入力する入力端子を備えた遊技機における、
前記遊技盤の制御手段と前記遊技枠体とを電気的に接続するための遊技機中継装置であって、
前記遊技機中継装置は遊技機中継基板を備え、
前記遊技機中継基板は、前記遊技盤の制御手段の出力端子と接続される複数の端子を有する中継入力部と前記遊技枠体の電気的遊技装置の入力端子と接続される複数の端子を有する中継出力部とを前記遊技機中継基板の一面側に備えると共に、
前記中継入力部の端子と前記中継出力部の端子とを前記制御信号に対する端子の配列を入れ替えて電気的に接続する電気的接続手段を備えていることを特徴とする遊技機中継装置。
【００６８】
（２）遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段が複数の端子の配列された出力端子を備えて前記複数の端子を電気的にＯＮ、ＯＦＦする組み合わせにより前記制御信号を構成し、
前記遊技枠体には前記制御信号を受信して作動する電気的遊技装置を備えると共に前記電気的遊技装置には前記制御手段の出力端子からの制御信号を入力する入力端子を備えた遊技機において、
前記遊技盤の制御手段と前記遊技枠体の電気的遊技装置とを電気的に接続するための遊技機中継装置であって、
前記遊技機中継装置は遊技機中継基板を備え、
前記遊技機中継基板は、前記遊技盤の制御手段の出力端子と接続される複数の端子を有する中継入力部と前記遊技枠体の電気的遊技装置の入力端子と接続される複数の端子を有する中継出力部とを前記遊技機中継基板の一面側に備えると共に、
前記中継入力部の端子と前記中継出力部の端子とを前記制御信号に対する配列を入れ替えて電気的に接続する電気的接続手段と、
前記中継入力部に入力された前記制御信号のＯＮ時における電圧値を前記中継出力部で異なる電圧値となるように変換する電圧変換手段を備えていることを特徴とする遊技機中継装置。
【００６９】
（３）前記遊技機中継装置は、前記遊技中継基板と前記遊技機中継基板を収納するケース体よりなり、前記ケース体は、前記中継入力部と前記中継出力部が露出可能な開口部を有し、前記ケース体に収納された前記遊技機中継基板の前記電気的接続手段が前記開口部から露出しないようにされていることを特徴とする（１）または（２）に記載の遊技機中継装置。
【００７０】
（４）遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段が複数の端子の配列された出力端子を備えて前記複数の端子を電気的にＯＮ、ＯＦＦする組み合わせにより前記制御信号を構成し、
前記遊技枠体には前記制御信号を受信して作動する電気的遊技装置を備えると共に前記電気的遊技装置には前記制御手段の出力端子からの制御信号を入力する入力端子を備えた遊技機における、
前記遊技盤の制御手段と前記遊技枠体の電気的遊技装置とを電気的に接続するための遊技機中継装置であって、
前記遊技機中継装置は遊技機中継基板を備え、
前記遊技機中継基板は、前記遊技盤の制御手段の出力端子と接続される複数の端子を有する中継入力部と前記遊技枠体の電気的遊技装置の入力端子と接続される複数の端子を有する中継出力部とを前記中継基板の一面側に備えると共に、
前記中継入力部の端子と前記中継出力部の端子とを前記制御信号に対する端子の配列を入れ替えて電気的に接続する電気的接続手段を備え、
前記電気的接続手段は、前記遊技機中継基板の一面側と他面側に形成され、同一面側ではそれぞれの前記電気的接続手段が互いに交わらないように配置されると共に、前記一面側と他面側の前記電気的接続手段の少なくとも一つが立体的に交差するように配置されて前記中継入力部の端子と前記中継出力部の端子とで前記制御手段の制御信号に対する端子の配列が入れ替わるように接続していることを特徴とする遊技機中継装置。
【００７１】
（５）遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段が複数の端子の配列された出力端子を備えて前記複数の端子を電気的にＯＮ、ＯＦＦする組み合わせにより前記制御信号を構成し、
前記遊技枠体には前記制御信号を受信して作動する電気的遊技装置を備えると共に前記電気的遊技装置には前記制御手段の出力端子からの制御信号を入力する入力端子を備えた遊技機における、
前記遊技盤の制御手段と前記遊技枠体の電気的遊技装置とを電気的に接続するための遊技機中継装置であって、
前記遊技機中継装置は遊技機中継基板を備え、
前記遊技機中継基板は、前記遊技盤の制御手段の出力端子と接続される複数の端子を有する中継入力部と前記遊技枠体の電気的遊技装置の入力端子と接続される複数の端子を有する中継出力部とを前記中継基板の一面側に備えると共に、
前記中継入力部の端子と前記中継出力部の端子とを前記制御信号に対する端子の配列を入れ替えて電気的に接続する電気的接続手段と、
前記中継入力部に入力された前記制御信号のＯＮ時における電圧値を前記中継出力部で異なる電圧値となるように変換する電圧変換手段とを備え、
前記電気的接続手段は、前記遊技機中継基板の一面側と他面側に形成され、同一面側ではそれぞれの前記電気的接続手段が互いに交わらないように配置されると共に、前記一面側と他面側の前記電気的接続手段の少なくとも一つが立体的に交差するように配置されて前記中継入力部の端子と前記中継出力部の端子とで前記制御手段の制御信号に対する端子の配列が入れ替わるように接続していることを特徴とする遊技機中継装置。
【００７２】
（６）前記遊技機中継装置は、前記遊技中継基板と前記遊技機中継基板を収納するケース体よりなり、前記ケース体は、前記中継入力部と前記中継出力部が露出可能な開口部を有し、前記ケース体に収納された前記遊技機中継基板の前記電気的接続手段が前記開口部から露出しないようにされていることを特徴とする（４）または（５）に記載の遊技機中継装置。
【００７３】
（７）前記遊技機中継基板は、前記ケース体の開口部内の領域では前記開口部とは反対側の面に前記電気接続手段が形成され、前記開口部以外の領域で前記開口部とは反対側の面から前記遊技機中継基板を貫通して前記開口部側の面に形成されていることを特徴とする（６）に記載の遊技機中継装置。
【００７４】
（８）前記遊技機中継基板は前記中継入力部が前記遊技盤における制御手段の出力端子と接続可能に構成されると共に前記中継出力部が前記遊技枠体における電気的遊技装置の入力端子と接続可能に構成され、前記電気的接続手段が前記遊技盤における制御手段の出力端子の配列を前記遊技枠体の電気的遊技装置の入力端子に対応した配列に変えることを特徴とする（１）から（７）の何れか一に記載の遊技機中継装置。
【００７５】
（９）前記遊技盤の制御手段の出力端子、前記遊技枠体の電気的遊技装置の入力端子、前記遊技機中継基板の中継入力部の端子および前記中継出力部の端子は、複数の端子を備えたコネクタ形状で構成されていることを特徴とする（１）から（８）の何れか一に記載の遊技機中継装置。
【００７６】
（１０）遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段への電源供給用に電圧値の異なる複数の端子の配列された電源用入力端子を備え
前記遊技枠体には前記遊技盤の制御手段に複数の電圧値からなる電源を供給する電源手段を備えると共に前記電源手段からの複数の電圧値の電源を前記遊技盤の制御手段の電源用入力端子に出力するために電圧値の異なる複数の端子が配列された電源用出力端子を備えた遊技機における、
前記遊技盤の制御手段と前記遊技枠体とを電気的に接続するための遊技機中継装置であって、
前記遊技機中継装置は遊技機中継基板を備え、
前記遊技機中継基板は、前記遊技盤の制御手段の電源用入力端子と接続される複数の端子を有する中継出力部と前記遊技枠体の電源手段の電源用出力端子と接続される複数の端子を有する中継入力部とを前記遊技機中継基板の一面側に備えると共に、
前記中継入力部の端子と前記中継出力部の端子とを端子の配列を入れ替えて電気的に接続する電気的接続手段を備えることを特徴とする遊技機中継装置。
【００７７】
（１１）前記遊技機中継装置は、前記遊技中継基板と前記遊技機中継基板を収納するケース体よりなり、前記ケース体は、前記中継入力部と前記中継出力部が露出可能な開口部を有し、前記ケース体に収納された前記遊技機中継基板の前記電気的接続手段が前記開口部から露出しないようにされていることを特徴とする（１０）に記載の遊技機中継装置。
【００７８】
（１２）遊技を行うための遊技領域を備えた遊技盤と、
前記遊技盤を入れ替え可能な遊技枠体とを備え、
前記遊技盤には遊技の制御を行う制御信号を出力可能な制御手段を備えると共に前記制御手段への電源供給用に電圧値の異なる複数の端子の配列された電源用入力端子を備え
前記遊技枠体には前記遊技盤の制御手段に複数の電圧値からなる電源を供給する電源手段を備えると共に前記電源手段からの複数の電圧値の電源を前記遊技盤の制御手段の電源用入力端子に出力するために電圧値の異なる複数の端子が配列された電源用出力端子を備えた遊技機における、
前記遊技盤の制御手段と前記遊技枠体とを電気的に接続するための遊技機中継装置であって、
前記遊技機中継装置は遊技機中継基板を備え、
前記遊技機中継基板は、前記遊技盤の制御手段の電源用入力端子と接続される複数の端子を有する中継出力部と前記遊技枠体の電源手段の電源用出力端子と接続される複数の端子を有する中継入力部とを前記遊技機中継基板の一面側に備えると共に、
前記中継入力部の端子と前記中継出力部の端子とを端子の配列を入れ替えて電気的に接続する電気的接続手段を備え、
前記電気的接続手段は、前記遊技機中継基板の一面側と他面側に形成され、同一面側ではそれぞれの前記電気的接続手段が互いに交わらないように配置されると共に、前記一面側と他面側の前記電気的接続手段の少なくとも一つが立体的に交差するように配置されて前記中継入力部の端子と前記中継出力部の端子とで端子の配列が入れ替わるように接続していることを特徴とする遊技機中継装置。
（１３）前記遊技機中継装置は、前記遊技中継基板と前記遊技機中継基板を収納するケース体よりなり、前記ケース体は、前記中継入力部と前記中継出力部が露出可能な開口部を有し、前記ケース体に収納された前記遊技機中継基板の前記電気的接続手段が前記開口部から露出しないようにされていることを特徴とする（１２）に記載の遊技機中継装置。
【００７９】
（１４）前記遊技機中継基板は、前記ケース体の開口部内の領域では前記開口部とは反対側の面に前記電気接続手段が形成され、前記開口部以外の領域で前記開口部とは反対側の面から前記遊技機中継基板を貫通して前記開口部側の面に形成されていることを特徴とする（１３）に記載の遊技機中継装置。
【００８０】
（１５）前記遊技機中継基板は前記中継入力部が前記遊技枠体における電源手段の電源用出力端子と接続可能に構成されると共に前記中継出力部が前記遊技盤における制御手段の電源用入力端子と接続可能に構成され、前記電気的接続手段が前記遊技枠体の電源手段の電源用出力端子の配列を前記遊技盤における制御手段の電源用入力端子に対応した配列に変えることを特徴とする（１０）から（１４）の何れか一に記載の遊技機中継装置。
【００８１】
（１６）前記遊技盤の制御手段の電源用入力端子、前記遊技枠体の電源手段の電源用出力端子、前記遊技機中継基板の中継入力部の端子および前記中継出力部の端子は、複数の端子を備えたコネクタ形状で構成されていることを特徴とする（１０）から（１５）の何れか一に記載の遊技機中継装置。
【００８２】
（１）によれば、遊技機中継基板が、中継入力部の端子と中継出力部の端子とを制御信号に対する端子の配列を入れ替えて電気的に接続する電気的接続手段を備えるため、制御信号に関する入出力端子の配列が異なる遊技盤と遊技枠体の電気的遊技装置とであっても接続して作動させることが可能となる。
【００８３】
（２）によれば、遊技機中継基板の電気的接続手段が、前記中継入力部の端子と前記中継出力部の端子とを前記制御信号に対する配列を入れ替えて電気的に接続する電気的接続手段有するため、入出力端子の配列が異なる遊技枠体と遊技盤であっても接続して作動させることが可能となる。また、遊技機中継基板には中継入力部に入力された制御信号のＯＮ時における電圧値を中継出力部で異なる電圧値となるように変換する電圧変換手段を備えるため、制御信号の電圧値が異なる機種間の遊技盤と遊技枠体の電気的遊技装置であっても、接続して作動させることが可能となる。
【００８４】
（３）によれば、遊技機中継装置が、遊技中継基板と遊技機中継基板を収納するケース体よりなり、前記ケース体は、遊技機中継基板の中継入力部と中継出力部が露出可能な開口部を有し、前記ケース体に収納された遊技機中継基板の電気的接続手段が開口部から露出しないようにされているため、ケース体の開口部を利用して遊技機中継基板の電気的接続手段に対して不正が働かれるのを防ぐことが可能である。
【００８５】
（４）によれば、遊技機中継基板の電気的接続手段が、遊技機中継基板の一面側と他面側に形成され、同一面側ではそれぞれの電気的接続手段が互いに交わらないように配置されると共に、一面側と他面側の前記電気的接続手段の少なくとも一つが立体的に交差するように配置されて中継入力部の端子と中継出力部の端子とで制御信号に対する端子の配列を入れ替えて電気的に接続する電気的接続手段を備えるため、入出力端子の配列が異なる遊技盤と遊技枠体の電気的遊技装置であっても接続して作動させることが可能となる。
【００８６】
（５）によれば、遊技機中継基板の電気的接続手段が、遊技機中継基板の一面側と他面側に形成され、同一面側ではそれぞれの電気的接続手段が互いに交わらないように配置されると共に、一面側と他面側の前記電気的接続手段の少なくとも一つが立体的に交差するように配置されて中継入力部の端子と中継出力部の端子とで制御信号に対する端子の配列を入れ替えて電気的に接続する電気的接続手段を備えるため、入出力端子の配列が異なる遊技盤と遊技枠体の電気的遊技装置であっても接続して作動させることが可能となる。また、遊技機中継基板には中継入力部に入力された制御信号のＯＮ時における電圧値を中継出力部で異なる電圧値となるように変換する電圧変換手段を備えるため、制御信号の電圧値が異なる機種間の遊技盤と遊技枠体の電気的遊技装置であっても、接続して作動させることが可能となる。
【００８７】
（６）によれば、遊技機中継装置が、遊技中継基板と遊技機中継基板を収納するケース体よりなり、前記ケース体は、遊技機中継基板の中継入力部と中継出力部が露出可能な開口部を有し、前記ケース体に収納された遊技機中継基板の電気的接続手段が開口部から露出しないようにされているため、ケース体の開口部を利用して遊技機中継基板の電気的接続手段に対して不正が働かれるのを防ぐことが可能である。
【００８８】
（７）によれば、遊技機中継基板はケース体の開口部内の領域では開口部とは反対側の面に電気接続手段が形成され、開口部以外の領域で開口部とは反対側の面から遊技機中継基板を貫通して開口部側の面に形成されているため、遊技機中継基板の電気的接続手段がケース体の開口部から露出しないようにすることができ、ケース体の開口部を利用する遊技機中継基板の電気的接続手段に対する不正を防ぐことが可能である。
【００８９】
（８）によれば、遊技機中継基板の電気的接続手段が、遊技盤における制御手段の出力端子の配列を遊技枠体の電気的遊技装置の入力端子に対応した配列に変えるため、対応していない遊技盤と遊技枠体の電気的遊技装置であっても遊技機中継基板を中継して接続することにより作動させることが可能となる。
【００９０】
（９）によれば、遊技盤の制御手段の出力端子、遊技枠体の電気的遊技装置の入力端子、遊技機中継基板の中継入力部の端子および中継出力部の端子が、複数の端子を備えたコネクタ形状で構成されているため、遊技機中継基板と遊技盤および遊技枠体との電気的接続を容易に行うことが可能となる。
【００９１】
（１０）によれば、遊技機中継基板が、中継入力部の端子と前記中継出力部の端子とを端子の配列を入れ替えて電気的に接続する電気的接続手段を備えるため、電源に関する入出力端子の配列が異なる遊技盤と遊技枠体の電源手段とであっても接続して作動させることが可能となる。
【００９２】
（１１）によれば、遊技機中継装置が、遊技中継基板と遊技機中継基板を収納するケース体よりなり、前記ケース体は、遊技機中継基板の中継入力部と中継出力部が露出可能な開口部を有し、前記ケース体に収納された遊技機中継基板の電気的接続手段が開口部から露出しないようにされているため、ケース体の開口部を利用して遊技機中継基板の電気的接続手段に対して不正が働かれるのを防ぐことが可能である。
【００９３】
（１２）によれば、遊技機中継基板の電気的接続手段が、遊技機中継基板の一面側と他面側に形成され、同一面側ではそれぞれの電気的接続手段が互いに交わらないように配置されると共に、一面側と他面側の前記電気的接続手段の少なくとも一つが立体的に交差するように配置されて中継入力部の端子と中継出力部の端子とで配列を入れ替えて電気的に接続する電気的接続手段を備えるため、電源に関する入出力端子の配列が異なる遊技盤と遊技枠体の電源手段とであっても接続して作動させることが可能となる。
【００９４】
（１３）によれば、遊技機中継装置が、遊技中継基板と遊技機中継基板を収納するケース体よりなり、前記ケース体は、遊技機中継基板の中継入力部と中継出力部が露出可能な開口部を有し、前記ケース体に収納された遊技機中継基板の電気的接続手段が開口部から露出しないようにされているため、ケース体の開口部を利用して遊技機中継基板の電気的接続手段に対して不正が働かれるのを防ぐことが可能である。
【００９５】
（１４）によれば、遊技機中継基板はケース体の開口部内の領域では開口部とは反対側の面に電気接続手段が形成され、開口部以外の領域で開口部とは反対側の面から遊技機中継基板を貫通して開口部側の面に形成されているため、遊技機中継基板の電気的接続手段がケース体の開口部から露出しないようにすることができ、ケース体の開口部を利用する遊技機中継基板の電気的接続手段に対する不正を防ぐことが可能である。
【００９６】
（１５）によれば、遊技機中継基板の電気的接続手段が、遊技枠体における電源手段の電源用出力端子の配列を遊技盤における制御手段の電源用入力端子に対応した配列に変えるため、対応していない遊技盤と遊技枠体の電源手段であっても遊技機中継装置により接続して作動させることが可能となる。
【００９７】
（１６）によれば、記遊技盤の制御手段の電源用入力端子、遊技枠体の電源手段の電源用出力端子、遊技機中継基板の中継入力部の端子および中継出力部の端子が、複数の端子を備えたコネクタ形状で構成されているため、遊技機中継基板と遊技盤および遊技枠体との電気的接続を容易に行うことが可能となる。
【００９８】
なお、前記実施例では、制御信号用と電源用の両方の接続に関して遊技機中継装置を介して遊技盤と遊技枠体を接続しているが、一方のみについて接続端子等が一致してなくて直接接続できない場合には、直接接続できない一方のみについて本発明の遊技機中継装置が用いられる。さらにまた、本発明は、前記の実施例に限定されず、発明の趣旨を逸脱しない範囲で変更可能である。
【図面の簡単な説明】
【００９９】
【図１】遊技盤の一実施例について釘を省略して示す正面図である。
【図２】遊技枠体の一実施例を示す正面図である。
【図３】一実施例の遊技機の分解斜視図である。
【図４】遊技機中継枠体によって遊技枠体と遊技盤を接続した遊技機の正面図である。
【図５】同遊技機の背面図である。
【図６】同実施例における主制御基板の概略の構成を示すブロック図である。
【図７】同実施例におけるサブ制御基板の概略の構成を示すブロック図である。
【図８】同実施例における払出制御基板の概略を示すブロック図である。
【図９】同遊技機における遊技機中継装置による電気的遊技装置と制御手段の接続状態を示すブロック図である。
【図１０】制御信号用遊技機中継装置の一実施例を示す表面図と裏面図である。
【図１１】図１０の実施例における遊技機中継基板の表面図と裏面図である。
【図１２】制御信号のＯＮ，ＯＦＦを示す図である。
【図１３】電源用遊技機中継装置の一実施例を示す表面図と裏面図である。
【図１４】図１３の実施例における遊技機中継基板の表面図と裏面図である。
【符号の説明】
【０１００】
１Ａ  遊技枠体
３    遊技盤
８    特別図柄表示装置
５３    発射装置
２００    主制御基板
２０５    サブ制御基板
２４０    払出制御基板
２５０    電源基板
４０１，４２１  制御信号用遊技機中継装置
４４１，４６１  電源用遊技機中継装置
４０２，４２２，４４２，４６２  遊技機中継基板
４０６，４２６，４４６，４６６  中継入力部
４１０，４３０，４５０，４７０  中継出力部
４１４，４１５，４３４，４３５，４５４，４５５，４７４，４７５  貫通孔
４１６，４３６，４５６，４７６  ケース体
４１７，４１９，４３７，４３９，４５７，４５９，４７７，４７９  開口部
５０１，５１１  電圧変換手段
【図１】
2008272181.tif 000003
【図２】
2008272181.tif 000004
【図３】
2008272181.tif 000005
【図４】
2008272181.tif 000006
【図５】
2008272181.tif 000007
【図６】
2008272181.tif 000008
【図７】
2008272181.tif 000009
【図８】
2008272181.tif 000010
【図９】
2008272181.tif 000011
【図１０】
2008272181.tif 000012
【図１１】
2008272181.tif 000013
【図１２】
2008272181.tif 000014
【図１３】
2008272181.tif 000015
【図１４】
2008272181.tif 000016